(57)【要約】【課題】意匠層によって形成される意匠の意匠性を劣化させることなく、透過部を透過する光を強調させる。【解決手段】加飾シート３０は、意匠を形成する意匠層３２と、意匠層３２の非形成部である透過部３４と、意匠層３２に積層された拡散層３６と、を備える。拡散層３６は、少なくとも部分的に透過部３４に重なる位置に配置された拡散材３７を有する。【選択図】図１
2020131666.tif 000002
【特許請求の範囲】
【請求項１】
意匠を形成する意匠層と、
前記意匠層の非形成部である透過部と、
前記意匠層に積層された拡散層と、を備え、
前記拡散層は、少なくとも部分的に前記透過部に重なる位置に配置された拡散材を有する、加飾シート。
【請求項２】
前記拡散層は、前記拡散材が配置された第１領域と、前記拡散材が配置されていない第２領域と、を含む、請求項１に記載の加飾シート。
【請求項３】
前記透過部に重なる位置における前記拡散層のヘイズ値の最大値と最小値との差は、２０％以下である、請求項１または２に記載の加飾シート。
【請求項４】
前記透過部に重なる位置における前記拡散層のヘイズ値の最大値と最小値との差は、６０％以上である、請求項１または２に記載の加飾シート。
【請求項５】
前記透過部に重なる位置における前記拡散層のヘイズ値は、当該拡散層の周縁から離間するにつれて小さくなっている、請求項４に記載の加飾シート。
【請求項６】
前記拡散層は、曲面状に形成されている、請求項４または５に記載の加飾シート。
【請求項７】
前記透過部は、当該加飾シートの全域に設けられている、請求項１乃至６のいずれか一項に記載の加飾シート。
【請求項８】
前記透過部は、当該加飾シートの一部の領域にのみ設けられている、請求項１乃至６のいずれか一項に記載の加飾シート。
【請求項９】
面状に発光する面光源装置と、
前記拡散層の側が前記面光源装置に対面して配置された請求項１乃至８のいずれか一項に記載の加飾シートと、を備える、表示装置。
【請求項１０】
画像を形成する画像光を発光する表示パネルと、
前記拡散層の側が前記表示パネルに対面して配置された請求項１乃至８のいずれか一項に記載の加飾シートと、を備える、表示装置。
【発明の詳細な説明】
【技術分野】
【０００１】
本発明は、加飾シート及び加飾シートを有する表示装置に関する。
【背景技術】
【０００２】
例えば特許文献１に記載されているような、光源からの光の一部を遮光物によって遮光して、明暗の模様を表示する表示装置が知られている。このような表示装置は、光源が光を出射していない状態では、通常、黒色に観察される。一方で、例えば自動車や家具、住宅建材等の表面部材においては、意匠性が非常に重要視される。現在、種々の分野に適用される表示装置に対し、単に模様を表示する機能が期待されているだけでなく、周囲環境との意匠性の調和も要求されている。
【０００３】
表示装置に意匠性を付与するために、表示装置に対面して加飾シートを設けることが考えられている。加飾シートは、表示装置に周辺環境と調和することができる意匠性を付与することができる。具体的には、加飾シートに意匠を形成する意匠層が設けられていることで、加飾シートは意匠性を有することができる。また、表示装置の光が加飾シートを透過することができるよう、加飾シートには孔等の透過部が設けられる。
【先行技術文献】
【特許文献】
【０００４】
【特許文献１】特開２０００−１３２１２６号公報
【発明の概要】
【発明が解決しようとする課題】
【０００５】
ところで、明暗の模様をより鮮明に観察することができるよう、透過部を透過する光を強調させることが望まれている。透過部を透過する光を強調させるために、各透過部の面積を大きくして、透過部を透過する光を増加させることが考えられた。しかし、透過部の面積を増加させると、意匠層の面積が小さくなってしまい、意匠層によって形成される意匠が観察されにくくなる。加飾シートによって付与される意匠性が劣化してしまうため、透過部の面積を増加させることは好ましくない。
【０００６】
本発明は、このような点を考慮してなされたものであり、意匠層によって形成される意匠の意匠性を劣化させることなく、透過部を透過する光を強調させることを目的とする。
【課題を解決するための手段】
【０００７】
本発明の加飾シートは、
意匠を形成する意匠層と、
前記意匠層の非形成部である透過部と、
前記意匠層に積層された拡散層と、を備え、
前記拡散層は、少なくとも部分的に前記透過部に重なる位置に配置された拡散材を有する。
【０００８】
本発明の加飾シートにおいて、前記拡散層は、前記拡散材が配置された第１領域と、前記拡散材が配置されていない第２領域と、を含んでもよい。
【０００９】
本発明の加飾シートにおいて、前記透過部に重なる位置における前記拡散層のヘイズ値の最大値と最小値との差は、２０％以下であってもよい。
【００１０】
本発明の加飾シートにおいて、前記透過部に重なる位置における前記拡散層のヘイズ値の最大値と最小値との差は、６０％以上であってもよい。
【００１１】
本発明の加飾シートにおいて、前記透過部に重なる位置における前記拡散層のヘイズ値は、当該拡散層の周縁から離間するにつれて小さくなっていてもよい。
【００１２】
本発明の加飾シートにおいて、前記拡散層は、曲面状に形成されていてもよい。
【００１３】
本発明の加飾シートにおいて、前記透過部は、当該加飾シートの全域に設けられていてもよい。
【００１４】
本発明の加飾シートにおいて、前記透過部は、当該加飾シートの一部の領域にのみ設けられていてもよい
【００１５】
本発明の第１の表示装置は、
面状に発光する面光源装置と、
前記拡散層の側が前記面光源装置に対面して配置された上述したいずれかの加飾シートと、を備える。
【００１６】
本発明の第２の表示装置は、
画像を形成する画像光を発光する表示パネルと、
前記拡散層の側が前記表示パネルに対面して配置された上述したいずれかの加飾シートと、を備える。
【発明の効果】
【００１７】
本発明によれば、意匠層によって形成される意匠の意匠性を劣化させることなく、透過部を透過する光を強調させることができる。
【図面の簡単な説明】
【００１８】
【図１】図１は、表示装置を示す断面図である。
【図２】図２は、図１の表示装置において、面光源装置が発光した状態の表示装置を示す正面図である。
【図３】図３は、図２に示した表示装置の加飾シートの一部を拡大した図である。
【図４】図４は、図１の表示装置において、面光源装置が発光しない状態の表示装置を示す正面図である。
【図５】図５は、表示装置の一変形例を示す断面図である。
【図６】図６は、図５の表示装置の加飾シートの正面図である。
【図７】図７は、図５の表示装置において、表示パネルの表示面に画像を表示した状態を示す正面図である。
【図８】図８は、加飾シートの他の変形例を示す断面図である。
【図９】図９は、加飾シートのさらに他の変形例を示す断面図である。
【図１０】図１０は、加飾シートのさらに他の変形例を示す断面図である。
【発明を実施するための形態】
【００１９】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２０】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００２１】
さらに、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２２】
図１は、本実施の形態の表示装置１を概略的に示す分解断面図である。図１に示されるように、表示装置１は、出射面１５から光を出射する面光源装置１０と、出射面１５に対面して配置された加飾シート３０と、を有している。表示装置１において、加飾シート３０は、後述する遮光層３３が設けられた側が面光源装置１０に対面するよう配置されている。
【００２３】
面光源装置１０は、面状に光を出射する出射面１５を有し、加飾シート３０を遮光層３３が設けられた側から照明する。図１に示す例では、面光源装置１０は、エッジライト型の面光源装置として構成され、導光板１１と、導光板１１の一方の側（図１に於いては左側）の側方に配置された光源１２と、導光板１１にそれぞれ対面するようにして配置された反射板１３及び拡散板１４と、を有している。図示された例では、拡散板１４が、加飾シート３０に対面して配置されている。そして、拡散板１４の加飾シート３０に対面する側の面によって、面光源装置１０の出射面１５が画成されている。
【００２４】
導光板１１は、全体的に、一対の主面（出光面１１ａ及び裏面１１ｂ）を有する相対的に厚み方向の辺が他の辺よりも小さい略直方体状の部材として構成されており、一対の主面間に画成される側面は四つの面を含んでいる。導光板１１は、一方の主面によって構成された出光面１１ａと、出光面１１ａに対向するもう一方の主面である裏面１１ｂと、出光面１１ａ及び裏面１１ｂの間を延びる側面と、を有している。側面のうちの第１方向ｄ１に対向する二つの面のうちの一方の側面が、入光面１１ｃをなしている。図１に示すように、入光面１１ｃに対面して光源１２が設けられ、裏面１１ｂに対面して反射板１３が配置され、出光面１１ａに対面して拡散板１４が配置されている。また、裏面１１ｂは、傾斜面１１ｂ１を含んでいる。
【００２５】
入光面１１ｃから導光板１１内に入射した光源１２からの光は、一対の主面で全反射されながら、第１方向（導光方向）ｄ１に沿って入光面１１ｃに対向する反対面１１ｄに向け、概ね第１方向（導光方向）ｄ１に沿って導光板１１内を導光されるようになる。その一方で、傾斜面１１ｂ１は、入光面１１ｃ側から反対面１１ｄ側へ向かうにつれて出光面１１ａに接近するよう、導光板１１の板面に対して傾斜している。したがって、傾斜面１１ｂ１で反射した光については、一対の主面に入射する際の入射角度は小さくなる。傾斜面１１ｂ１で反射することにより、一対の主面への入射角度が全反射臨界角度未満になると、当該光は、導光板１１から出射するようになる。すなわち、傾斜面１１ｂ１は、導光板１１から光を取り出すための要素として機能する。
【００２６】
光源１２は、例えば、線状の冷陰極管等の蛍光灯や、点状のＬＥＤ（発光ダイオード）や白熱電球等の種々の態様で構成され得る。具体的な例として、光源１２は、入光面１１ｃの長手方向（図１に於いては、紙面に直交する方向、即ち、紙面の表裏方向）に沿って、並べて配置された多数の点状発光体、具体的には、多数の発光ダイオード（ＬＥＤ）によって、構成され得る。
【００２７】
反射板１３は、導光板１１の裏面１１ｂから漏れ出した光を反射して、再び導光板１１内に入射させるための部材である。反射板１３での反射は、主として正反射（鏡面反射）であるが、拡散反射を含んでもよい。反射板１３は、例えば鏡面反射率の高い銀を含んでいる。
【００２８】
拡散板１４は、導光板１１の加飾シート３０の側に配置され、導光板１１からの光を拡散させる。拡散板１４の構成は特に限定されないが、典型的には、透明樹脂から成るベース部と、ベース部中に分散された光拡散成分とを含む。ベース部と光拡散成分との間の屈折率差に起因して、或いは、光拡散成分自体が有する反射性に起因して、入射光を散乱する。
【００２９】
なお、拡散板１４は省略されてもよい。この場合、面光源装置１０の出射面１５は、導光板１１の加飾シート３０に対面する側の面、すなわち出光面１１ａとなる。
【００３０】
加飾シート３０は、面光源装置１０の出射面１５に対面して配置され、出射面１５の全体を覆っている。加飾シート３０は、面光源装置１０の出射面１５の全体を覆うことができるよう、出射面１５の寸法以上の寸法を有している。図１に示す例では、加飾シート３０は、全体として面光源装置１０と同一の方向に広がる平板状の部材である。加飾シート３０の厚さは、例えば２０μｍ以上５５０μｍ以下である。
【００３１】
加飾シート３０は、意匠を表示して、表示装置１に意匠性を付与する。加飾シート３０は、第１基材３１と、第１基材３１上に設けられた意匠層３２及び遮光層３３と、意匠層３２及び遮光層３３の非形成部である透過部３４と、拡散層３６と、を有している。図１に示された例では、第１基材３１に接して意匠層３２が設けられ、意匠層３２に重ねられて遮光層３３が設けられている。また、拡散層３６は、意匠層３２及び遮光層３３に積層されており、遮光層３３の側に設けられている。拡散層３６は、第２基材３５と、第２基材３５上に設けられた拡散材３７と、を有している。
【００３２】
第１基材３１は、第１基材３１上に設けられた意匠層３２及び遮光層３３を適切に支持する。また、第２基材３５は、第２基材３５上に設けられた拡散材３７を適切に支持する。第１基材３１及び第２基材３５は、透明なフィルム状の部材である。第１基材３１及び第２基材３５としては、可視光を透過し、適切な支持性を有するものであればいかなる材料でもよいが、例えば、ポリメタクリル酸メチル、ポリエチレンテレフタレート、ポリエチレンナフタレート、ポリカーボネート、ポリスチレン、環状ポリオレフィン、ＡＢＳ（アクリロニトリル  ブタジエン  スチレン共重合体）等を挙げることができる。また、第１基材３１及び第２基材３５は、可視光透過性や支持性等を考慮すると、１０μｍ以上５００μｍ以下の厚みを有していることが好ましい。
【００３３】
なお、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００３４】
意匠層３２は、加飾シート３０が表示する意匠を形成する。意匠層３２は、図形、パターン、デザイン、色彩、絵、写真、キャラクター、マーク、文字や数字などの絵柄を、意匠として形成することができる。特に、表示装置１が設けられる周辺環境と調和させることができる意匠として、木目調や大理石調の絵柄や幾何学模様を例示することができる。また、意匠層３２は、単色の色彩をベタ印刷してなる絵柄を意匠として形成するものであってもよい。なお、図１に示すような加飾シート３０のシート面に直交する方向の断面における意匠層３２の断面形状は、矩形となっているが、これに限らず、台形形状等であってもよい。意匠層３２の厚さが十分に厚くなっていると、意匠層３２によって形成される意匠を濃く明確にすることができる。ここで、意匠層３２の厚さとは、意匠層３２を支持する第１基材３１の法線方向に沿った意匠層３２の長さのことである。具体的な例として、意匠層３２の厚さは、１μｍ以上２０μｍ以下であることが好ましい。
【００３５】
遮光層３３は、面光源装置１０に対面する側から、意匠層３２を覆うように設けられている。遮光層３３は、面光源装置１０の光が意匠層３２に入射しないよう、光を吸収する機能を有している。遮光層３３は、例えば光吸収粒子をバインダー樹脂中に含み得る。光吸収粒子としては、カーボンブラックやチタンブラック等の黒色顔料を例示することができる。面光源装置１０から出射された光が透過部３４を透過することが遮光層３３によって阻害されないよう、遮光層３３は、意匠層３２に対面する位置にのみ設けられていることが好ましい。また、十分な厚さの遮光層３３が意匠層３２を覆っていると、意匠層３２によって形成される絵柄を濃く明確に形成することができる。具体的な例として、遮光層３３の厚さは、１μｍ以上２０μｍ以下である。
【００３６】
透過部３４は、面光源装置１０からの光を透過させるために設けられている。透過部３４は、図１に示すように、意匠層３２及び遮光層３３の非形成部である。加飾シート３０の透過部３４において面光源装置１０からの光の一部を透過させ、意匠層３２及び遮光層３３において面光源装置１０からの光の一部を遮光することによって、明暗の模様を表示することができる。また、図示された例では、透過部３４は、加飾シート３０の一部の領域のみに設けられている。すなわち、加飾シート３０は、透過部３４が設けられた領域３０ａと、透過部３４が設けられていない領域３０ｂとを含んでいる。
【００３７】
図２には、面光源装置１０からの光が透過部３４を透過することによって「ＯＮ」の模様が表示されている例が示されている。図２に示された例では、「ＯＮ」の模様は、複数の円が組み合わさることによって形成されており、各円は、透過部３４が設けられた領域３０ａである。図３は、透過部３４が設けられた領域３０ａのうちの１つを拡大して示している。図３に示すように、加飾シート３０の領域３０ａに多数の透過部３４が設けられている。面光源装置１０からの光が透過部３４を透過することにより、透過部３４が設けられた円形の領域３０ａが発光しているように観察される。各円が発光しているように観察されることで、表示装置１に「ＯＮ」の模様を表示することができる。なお、図２に示された例では、「ＯＮ」の模様を表示する加飾シート３０の領域以外の領域は、透過部３４が設けられていない領域３０ｂとなっている。
【００３８】
面光源装置１０からの光を十分に透過させるために、加飾シート３０の透過部３４が設けられている領域３０ａにおいて、透過部３４が占める面積は、１０％以上となっていることが好ましい。また、各透過部３４の大きさ、言い換えると加飾シート３０のシート面に沿った透過部３４の面積は、例えば８０μｍ２以上７００００μｍ２以下である。さらに、図３に示された例のように、各透過部３４は、加飾シート３０のシート面において、円形であることが好ましい。透過部３４が円形であると、面積が同一の他の形状と比較して、透過部３４の周縁の長さを短くすることができる。透過部３４と透過する光は、当該透過部３４の周縁で拡散し得る。透過部３４を円形として周縁の長さを短くすることで、このような拡散を抑制することができる。
【００３９】
なお、透過部３４は、図１に示された例のように、孔や空隙であってもよいが、例えば透明な樹脂によって形成されてもよい。さらに、透明な樹脂は、透過部３４だけでなく、第１基材３１が設けられている側とは逆側から意匠層３２および遮光層３３を覆うように形成されていてもよい。このような透明な樹脂は、透過部３４を形成するとともに、意匠層３２および遮光層３３を保護する透明な保護膜として機能することができる。
【００４０】
拡散層３６は、加飾シート３０を透過する光、具体的には透過部３４を透過する光を拡散させる。透過部３４を透過する光を拡散させるため、拡散層３６は、少なくとも部分的に透過部３４に重なる位置に配置された拡散材３７を有している。拡散材３７は、少なくとも部分的に透過部３４に重なる位置にのみ配置されていてもよいし、その他の位置にも配置されていてもよい。言い換えると、拡散材３７は、少なくとも透過部３４が設けられた領域３０ａに重なる位置に配置されている。拡散材３７は、拡散層３６の全域に配置されていてもよいが、拡散材３７が配置されていない領域があってもよい。言い換えると、拡散層３６は、拡散材３７が配置された第１領域３６ａと、拡散材３７が配置されていない第２領域３６ｂと、を含んでいてもよい。拡散層３６の厚さは、例えば１μｍ以上５０μｍ以下である。
【００４１】
このような拡散材３７の材料は、例えば酸化チタン等の白色顔料でもよいし透明樹脂であってもよい。拡散材３７の大きさ、言い換えると加飾シート３０のシート面に沿った拡散材３７の面積は、例えば８０μｍ２以上７０００００μｍ２以下である。
【００４２】
本実施の形態において、拡散層３６の拡散性は、拡散材３７が配置された位置において、言い換えると第１領域３６ａにおいて、一様となっていることが好ましい。拡散層３６の拡散性は、ヘイズ値によって規定することができる。したがって、拡散層３６の拡散性が第１領域３６ａにおいて一様となっているために、拡散材３７が配置された位置における拡散層３６のヘイズ値の最大値と最小値との差は、小さくなっていることが好ましい。具体的には、拡散材３７が配置された位置における拡散層３６のヘイズ値の最大値と最小値との差は、２０％以下となっていることが好ましく、１０％以下となっていることがより好ましい。拡散層３６におけるヘイズ値は、例えば配置される拡散材３７の密度を変化させることで、調節することができる。
【００４３】
なお、ヘイズ値は、例えばヘイズメーター（例えば、ＨＲ−１００  村上色彩研究所）を用いて測定することができる。拡散層３６の拡散材３７が配置された位置におけるヘイズ値は、例えば当該位置中心とする１ｃｍ角の拡散層３６のヘイズ値として特定することができる。
【００４４】
次に、加飾シート３０の製造方法の一例について説明する。
【００４５】
まず、第１基材３１上に、意匠層３２を形成するようになる意匠膜及び遮光層３３を形成するようになる遮光膜を積層する。また、第２基材３５上に拡散材３７を配置して拡散層３６を形成する。意匠膜、遮光膜及び拡散材３７は、例えば印刷によって形成される。
【００４６】
次に、第１基材３１上の意匠膜及び遮光膜に対して、透過部３４を形成する位置にレーザー光を照射する。レーザー光として、例えば波長１０６４ｎｍのＮｄ：ＹＡＧレーザーのレーザー光を用いることができる。レーザー光を照射された位置における意匠膜及び遮光膜が除去され、貫通孔が形成される。この貫通孔が、透過部３４となる。一方、レーザー光が照射されずに除去されなかった遮光膜及び意匠膜が、それぞれ意匠層３２及び遮光層３３となる。
【００４７】
このようにして透過部３４が形成された意匠層３２及び遮光層３３に、第２基材３５上に形成された拡散層３６を、拡散材３７が透過部３４に重なるように配置する。以上の工程によって、加飾シート３０が製造される。
【００４８】
次に、表示装置１の作用について説明する。
【００４９】
面光源装置１０の出射面１５から光が発光しない状態では、図４に示すように、加飾シート３０の意匠層３２によって形成される意匠が表示される。すなわち、表示装置１は、観察されることが意図された意匠を表示することができる。表示された意匠によって、面光源装置１０が外部の観察者から観察されなくなり、意匠性において表示装置１を周辺環境と調和させることができる。特に、遮光層３３が意匠層３２に対面する位置にのみ設けられている場合、遮光層３３が観察者に観察されず、遮光層３３によって加飾シート３０の意匠性が害されることを防止することができる。
【００５０】
一方、面光源装置１０の出射面１５から光が発光した状態では、図２に示すように、光の一部が意匠層３２及び遮光層３３によって遮光され、その他の光は、加飾シート３０の第１基材３１及び透過部３４を透過する。これにより、表示装置１は、観察されることが意図された明暗の模様（図２に示された例では「ＯＮ」の模様）を表示することができ、外部の観察者は、明暗による模様を観察することができる。
【００５１】
また、意匠層３２は、遮光層３３によって面光源装置１０の側から覆われている。したがって、遮光層３３によって、光が意匠層３２へ入射することが妨げられる。このため、意匠層３２を光が透過して、意匠層３２によって表される意匠が観察されてしまうことを防止することができる。さらに、遮光層３３が意匠層３２に対面する領域にのみ設けられている場合、遮光層３３によって透過部３４を透過する光が妨げられることが防止される。すなわち、光を効率的に利用して、画像を明るく表示することができる。
【００５２】
ところで、面光源装置１０の出射面１５から光が発光した状態で、明暗の模様をより鮮明に観察することができるよう、透過部３４を透過する光を強調させることが望まれている。透過部３４を透過する光を強調させるために、加飾シート３０のシート面において各透過部３４の面積を大きくして、透過部３４を透過する光を増加させることが考えられた。しかしながら、意匠層３２の非形成部である透過部３４の面積を大きくすると、加飾シート３０のシート面において意匠層３２の面積が小さくなってしまう。このため、面光源装置１０の出射面１５から光を発光しない状態で、意匠層３２によって形成される意匠が観察されにくくなってしまう。したがって、透過部３４の面積を増加させずに、透過部３４を透過する光を強調させることが望まれている。
【００５３】
本実施の形態では、加飾シート３０は、少なくとも部分的に透過部３４に重なる位置に拡散材３７が配置された拡散層３６を有している。拡散層３６の拡散材３７によって、透過部３４を透過しようとする光は拡散される。透過部３４を透過する光が拡散されることで、透過部３４を透過する光の輝度を向上させることができる。このため、透過部３４の面積を増加させることなく、透過部３４を透過する光を強調して明暗の模様をより鮮明に観察することができる。
【００５４】
また、本実施の形態では、拡散材３７が配置された位置における拡散層３６のヘイズ値の最大値と最小値との差は、２０％以下となっている。すなわち、拡散材３７が配置された位置における拡散層３６の拡散性は、一様になっている。このため、強調させる透過部３４を透過する光の一部が目立ってしまうことなく、透過部３４を透過する光の全体を一様に強調することができる。
【００５５】
さらに、透過部３４は、加飾シート３０の一部の領域のみに設けられている。このため、面光源装置１０から出射した一部の光が意匠層及び遮光層によって遮光され、他の光が透過部３４を透過することで、明暗の模様を表示することができる。すなわち、表示装置１に明暗の模様を表示するための別途の遮光物を設けることなく、加飾シート３０によって明暗の模様を表示することができる。
【００５６】
以上のように、本実施の形態の加飾シート３０は、意匠を形成する意匠層３２と、意匠層３２の非形成部である透過部３４と、意匠層３２に積層された拡散層３６と、を備え、拡散層３６は、少なくとも部分的に透過部３４に重なる位置に配置された拡散材３７を有する。このような加飾シート３０によれば、拡散層３６の拡散材３７によって、透過部３４を透過しようとする光を拡散することができる。透過部３４を透過する光が拡散されることで、透過部３４を透過する光を強調することができる。したがって、透過部３４の面積を増加させて意匠層３２によって形成される意匠の意匠性を劣化させることなく、透過部３４を透過する光を強調させることができる。
【００５７】
なお、上述した実施の形態に対して様々な変更を加えることが可能である。
【００５８】
例えば、図５に示すように、表示装置１は、面光源装置１０に代えて、画像を形成する画像光を発光する表示パネル２０を有していてもよい。すなわち、表示装置１は、表示面２１を有する表示パネル２０と、表示面２１に対面して配置された加飾シート３０と、を有していてもよい。この変形例の表示装置１において、加飾シート３０は、遮光層３３が設けられた側が表示パネル２０に対面するよう配置されている。
【００５９】
表示パネル２０は、画像光を出射する装置であり、画像光を出射することができる表示面２１を有している。表示パネル２０は、液晶ディスプレイやプラズマディスプレイ、有機ＥＬディスプレイ等の任意の表示装置を用いることができる。このような表示パネル２０の表示面２１は、典型的にはガラス面となっている。
【００６０】
この変形例において、図５及び図６に示されているように、透過部３４は、加飾シート３０の全域に設けられている。表示パネル２０の表示面２１から出射される画像光は、加飾シート３０の透過部３４を透過することができる。したがって、画像光は、表示面２１に重なる加飾シート３０の全域を透過することができる。すなわち、表示パネル２０の表示面２１の全体に表示される画像を、加飾シート３０の透過部３４を介して観察することができる。
【００６１】
また、特にこの変形例において、拡散層３６の拡散性は、拡散材３７が配置された位置において、言い換えると第１領域３６ａにおいて、非一様となっていることが好ましい。したがって、拡散材３７が配置された位置における拡散層３６のヘイズ値の最大値と最小値との差は、大きくなっていることが好ましい。具体的には、拡散材３７が配置された位置における拡散層３６のヘイズ値の最大値と最小値との差は、６０％以上となっていることが好ましく、７０％以上となっていることがより好ましい。この場合、加飾シート３０を透過する画像光に濃淡の模様を付与して、画像に意匠性を付与することができる。
【００６２】
特に、拡散材３７が配置された位置において、拡散層３６の拡散性は、加飾シート３０の周縁に近いほど大きく、加飾シート３０の周縁から離間するほど小さくなっていることが好ましい。すなわち、拡散材３７が配置された位置における拡散層３６のヘイズ値は、拡散層３６の周縁から離間するにつれて小さくなっていることが好ましい。この場合、図７に示すように、表示パネル２０の表示面２１から画像光が出射した状態において、透過部３４を透過した光の拡散が、加飾シート３０の周縁に近いほど強くなり、周縁から離間するほど弱くなる。拡散材３７が配置された位置における拡散層３６のヘイズ値が拡散層３６の周縁から離間するにつれて小さくなっていることで、図７に示すように加飾シート３０を透過する画像光にグラデーションの模様を付与して、画像により高い意匠性を付与することができる。
【００６３】
なお、上述したように、拡散層３６におけるヘイズ値は、例えば配置される拡散材３７の密度を変化させることで、調節することができる。したがって、拡散材３７が配置された位置における拡散層３６のヘイズ値が拡散層３６の周縁から離間するにつれて小さくなっている場合、例えば拡散材３７の密度は、拡散層３６の周縁から離間するにつれて低くなっている。
【００６４】
さらに、加飾シート３０は、平板状に示されているが、図８に示すように、加飾シート３０の各構成要素が湾曲することで、加飾シート３０は、湾曲形状であってもよい。例えば、図８に示すように、加飾シート３０は、第１基材３１、意匠層３２、遮光層３３、第２基材３５及び拡散層３６がそれぞれ曲面状に形成されることで、曲面状になっていてもよい。
【００６５】
特に、拡散層３６が曲面状に形成されている場合、拡散材３７が配置された位置において拡散層３６の拡散性が非一様となっていることが好ましい。例えば、図８に示すように、拡散層３６が球面の一部に沿って中心が突出した曲面状に形成されている場合、拡散層３６の拡散性が加飾シート３０の中心で弱く、周縁に近づくにつれて強くなっていることが好ましい。この場合、表示装置１を観察する観察者との距離が比較的遠い加飾シート３０の周縁での光が、観察者との距離が比較的近い加飾シート３０の中心での光より強調される。一方、観察者との距離が近いほど、光は強く観察される。したがって、拡散層３６の拡散性が調節されることで、曲面状に形成された加飾シート３０の透過部３４から出射する光を、観察者に均一の強さで観察させることができる。
【００６６】
また、上述した実施の形態において、加飾シート３０の拡散層３６は、第２基材３５を有していた。しかしながら、図９に示すように、拡散層３６は、第２基材３５を有していなくてもよい。この場合、拡散材３７が遮光層３３に印刷されることで、拡散層３６が形成される。
【００６７】
さらに、図１０に示すように、加飾シート３０は、第１基材３１を有していなくてもよい。この場合、例えば加飾シート３０の製造工程で剥離させる等によって、第１基材３１が除かれる。あるいは、第２基材３５の一方の面上に意匠層３２及び遮光層３３が設けられ、第２基材３５の他方の面上に拡散材３７が設けられることで、第１基材３１が省略されていてもよい。
【００６８】
加飾シート３０が第１基材３１または第２基材３５を有しないことで、加飾シート３０の厚さを薄くすることができる。
【００６９】
以上において上述した実施の形態に対するいくつかの変形例を説明してきたが、当然に、複数の変形例を適宜組み合わせて適用することも可能である。例えば、実施の形態として図１に示した面光源装置１０と加飾シート３０とを有する表示装置１において、図５に示した変形例のように、拡散材３７が配置された位置における拡散層３６の拡散性が非一様、すなわち拡散材３７が配置された位置における拡散層３６のヘイズ値の最大値と最小値との差が６０％以上となっていてもよい。
【符号の説明】
【００７０】
１    表示装置
１０    面光源装置
１１    導光板
１２    光源
１３    反射板
１４    拡散板
１５    出射面
２０    表示パネル
２１    表示面
３０    加飾シート
３１    第１基材
３２    意匠層
３３    遮光層
３４    透過部
３５    第２基材
３６    拡散層
３６ａ  第１領域
３６ｂ  第２領域
３７    拡散材
【図１】
2020131666.tif 000003
【図２】
2020131666.tif 000004
【図３】
2020131666.tif 000005
【図４】
2020131666.tif 000006
【図５】
2020131666.tif 000007
【図６】
2020131666.tif 000008
【図７】
2020131666.tif 000009
【図８】
2020131666.tif 000010
【図９】
2020131666.tif 000011
【図１０】
2020131666.tif 000012